Podtech/llm-jp-corpus-v4-ja_patent huggingface dataset:
【手続補正書】
【提出日】平成20年5月16日(2008.5.16)
【手続補正１】
【補正対象書類名】明細書
【補正対象項目名】特許請求の範囲
【補正方法】変更
【補正の内容】
【特許請求の範囲】
【請求項１】  Ｂ型肝炎ウイルス（ＨＢＶ）に感染した個体におけるウイルス血症を軽減するための医薬組成物であって、免疫活性化配列（ＩＳＳ）を含むポリヌクレオチドを含み、ここで前記ＩＳＳは配列５′−Ｃ，Ｇ−３′を含み、前記組成物は前記個体に投与されるが、ＨＢＶ抗原は前記組成物と一緒に投与されないことを特徴とする前記組成物。
【請求項２】  前記ＩＳＳが配列５′−Ｔ，Ｃ，Ｇ−３′を含む、請求項１に記載の医薬組成物。
【請求項３】  前記ＩＳＳが配列５′−プリン、プリン、Ｃ，Ｇ、ピリミジン、ピリミジン、Ｃ，Ｇ−３′又は５′−プリン、プリン、Ｃ，Ｇ、ピリミジン、ピリミジン、Ｃ，Ｃ−３′を含む、請求項１に記載の医薬組成物。
【請求項４】  前記ＩＳＳが５′−AACGTTCC−３′，５′−AACGTTCG−３′，５′−GACGTTCC−３′、及び５′−GACGTTCG−３′から成る群から選ばれる配列を含む、請求項３に記載の医薬組成物。
【請求項５】  前記ＩＳＳが配列５′−TGACTGTGAACGTTCGAGATGA−３′（配列番号１）を含む、請求項１に記載の医薬組成物。
【請求項６】  前記個体が哺乳動物である、請求項１に記載の医薬組成物。
【請求項７】  静脈内投与又は皮下投与用に処方された、請求項１に記載の医薬組成物。
【請求項８】  Ｂ型肝炎ウイルス（ＨＢＶ）に感染した個体における肝炎ウイルス抗原の血中レベルを下げるための医薬組成物であって、免疫活性化配列（ＩＳＳ）を含むポリヌクレオチドを含み、ここで前記ＩＳＳは配列５′−Ｃ，Ｇ−３′を含み、前記組成物は前記個体に投与されるが、ＨＢＶ抗原は前記組成物と一緒に投与投与されないことを特徴とする前記組成物。
【請求項９】  前記ＩＳＳが配列５′−Ｔ，Ｃ，Ｇ−３′を含む、請求項８に記載の医薬組成物。
【請求項１０】  前記ＩＳＳが配列５′−プリン、プリン、Ｃ，Ｇ、ピリミジン、ピリミジン、Ｃ，Ｇ−３′又は５′−プリン、プリン、Ｃ，Ｇ、ピリミジン、ピリミジン、Ｃ，Ｃ−３′を含む、請求項８に記載の医薬組成物。
【請求項１１】  前記ＩＳＳが５′−AACGTTCC−３′，５′−AACGTTCG−３′，５′−GACGTTCC−３′、及び５′−GACGTTCG−３′から成る群から選ばれる配列を含む、請求項１０に記載の医薬組成物。
【請求項１２】  前記ＩＳＳが配列５′−TGACTGTGAACGTTCGAGATGA−３′（配列番号１）を含む、請求項８に記載の医薬組成物。
【請求項１３】  前記個体が哺乳動物である、請求項８に記載の医薬組成物。
【請求項１４】  静脈内投与又は皮下投与用に処方された、請求項８に記載の医薬組成物。
【請求項１５】  前記肝炎ウイルス抗原がＨＢｓＡｇである、請求項８に記載の医薬組成物。
【請求項１６】  ＨＢＶに感染したか又はさらされた個体におけるウイルス血症の軽減のためのキットであって、免疫活性化配列（ＩＳＳ）を含むポリヌクレオチドを含む組成物を含み、ここで前記ＩＳＳは配列５′−Ｃ，Ｇ−３′を含み、ここで前記キットはＨＢＶ抗原を含まず、かつ、ここで前記キットはウイルス血症を軽減するためのＨＢＶに感染したか又はさらされた個体への前記組成物の投与についての取扱説明書を含む前記キット。
【請求項１７】  前記ＩＳＳが配列５′−Ｔ，Ｃ，Ｇ−３′を含む、請求項１６に記載のキット。
【請求項１８】  前記ＩＳＳが配列５′−プリン、プリン、Ｃ，Ｇ、ピリミジン、ピリミジン、Ｃ，Ｇ−３′又は５′−プリン、プリン、Ｃ，Ｇ、ピリミジン、ピリミジン、Ｃ，Ｃ−３′を含む、請求項１６に記載のキット。
【請求項１９】  前記ＩＳＳが配列５′−AACGTTCG−３′を含む、請求項１８に記載のキット。
【請求項２０】  前記ＩＳＳが配列５′−TGACTGTGAACGTTCGAGATGA−３′（配列番号１）を含む、請求項１６に記載のキット。
【手続補正書】
【提出日】平成20年3月17日(2008.3.17)
【手続補正１】
【補正対象書類名】明細書
【補正対象項目名】特許請求の範囲
【補正方法】変更
【補正の内容】
【特許請求の範囲】
【請求項１】  単純ヘルペスウイルスに被爆された個体における単純ヘルペスウイルス感染の症状を予防するための医薬組成物であって、免疫賦活性配列（ＩＳＳ）を含むポリヌクレオチドを含有し、ここで、前記ＩＳＳは、配列５’-Ｃ，Ｇ-３’を含み、ここで単純ヘルペスウイルス抗原は、前記組成物の投与とともに投与されず、かつここで、前記組成物が単純ヘルペスウイルス感染の症状を予防するために充分な量で投与される前記組成物。
【請求項２】  前記ＩＳＳが、配列５’-Ｔ，Ｃ，Ｇ-３’を含む、請求項１に記載の組成物。
【請求項３】  前記ＩＳＳが、配列５’-プリン，プリン，Ｃ，Ｇ，ピリミジン，ピリミジン，Ｃ，Ｇ-３’、又は５’-プリン，プリン，Ｃ，Ｇ，ピリミジン，ピリミジン，Ｃ，Ｃ-３’を含む、請求項１に記載の組成物。
【請求項４】  前記ＩＳＳが、５’-ＡＡＣＧＴＴＣＣ-３’、５’-ＡＡＣＧＴＴＣＧ-３’、５’-ＧＡＣＧＴＴＣＣ-３’、及び５’-ＧＡＣＧＴＴＣＧ-３’からなる群から選ばれる配列を含む、請求項３に記載の組成物。
【請求項５】  前記ＩＳＳが、配列５’-ＴＧＡＣＴＧＴＧＡＡＣＧＴＴＣＧＡＧＡＴＧＡ-３’（配列番号：１）を含む、請求項１に記載の組成物。
【請求項６】  前記ＩＳＳが、配列５’-ＴＣＧＴＣＧＡＡＣＧＴＴＣＧＴＴＡＡＣＧＴＴＣＧ-３’（配列番号：９）を含む、請求項１に記載の組成物。
【請求項７】  前記個体が哺乳動物である、請求項１に記載の組成物。
【請求項８】  投与が感染の部位においてである、請求項１に記載の組成物。
【請求項９】  前記単純ヘルペスウイルスが、単純ヘルペスウイルス２（ＨＳＶ−２）ウイルスである、請求項１に記載の組成物。
【請求項１０】  単純ヘルペスウイルスで感染された個体における単純ヘルペスウイルス感染の症状の重大さを減少するための医薬組成物であって、免疫賦活性配列（ＩＳＳ）を含むポリヌクレオチドを含有し、ここで、前記ＩＳＳは、配列５’-Ｃ，Ｇ-３’を含み、ここで単純ヘルペスウイルス抗原は、前記組成物の投与とともに投与されず、かつここで、前記組成物が、単純ヘルペスウイルス感染の症状の重大さを減少するために充分な量で投与される前記組成物。
【請求項１１】  前記ＩＳＳが、配列５’-Ｔ，Ｃ，Ｇ-３’を含む、請求項１０に記載の組成物。
【請求項１２】  前記ＩＳＳが、配列５’-プリン，プリン，Ｃ，Ｇ，ピリミジン，ピリミジン，Ｃ，Ｇ-３’、又は５’-プリン，プリン，Ｃ，Ｇ，ピリミジン，ピリミジン，Ｃ，Ｃ-３’を含む、請求項１０に記載の組成物。
【請求項１３】  前記ＩＳＳが、５’-ＡＡＣＧＴＴＣＣ-３’、５’-ＡＡＣＧＴＴＣＧ-３’、５’-ＧＡＣＧＴＴＣＣ-３’、及び５’-ＧＡＣＧＴＴＣＧ-３’からなる群から選ばれる配列を含む、請求項１２に記載の組成物。
【請求項１４】  前記ＩＳＳが、配列５’-ＴＧＡＣＴＧＴＧＡＡＣＧＴＴＣＧＡＧＡＴＧＡ-３’（配列番号：１）を含む、請求項１０に記載の組成物。
【請求項１５】  前記ＩＳＳが、配列５’-ＴＣＧＴＣＧＡＡＣＧＴＴＣＧＴＴＡＡＣＧＴＴＣＧ-３’（配列番号：９）を含む、請求項１０に記載の組成物。
【請求項１６】  前記組成物が、ウイルス脱粒のレベルを減少するために充分な量で投与される、請求項１０に記載の組成物。
【請求項１７】  前記個体が哺乳動物である、請求項１０に記載の組成物。
【請求項１８】  投与が感染の部位においてである、請求項１０に記載の組成物。
【請求項１９】  前記単純ヘルペスウイルスが、単純ヘルペスウイルス２（ＨＳＶ−２）ウイルスである、請求項１０に記載の組成物。
【請求項２０】  単純ヘルペスウイルスで感染された個体における単純ヘルペスウイルス感染の症状の再発を減少するための医薬組成物であって、免疫賦活性配列（ＩＳＳ）を含むポリヌクレオチドを含有し、ここで、前記ＩＳＳが配列５’-Ｃ，Ｇ-３’を含み、ここで、単純ヘルペスウイルス抗原が前記組成物の投与とともに投与されず、さらにここで、前記組成物が単純ヘルペスウイルス感染の症状の再発を減少するために充分な量で投与される前記組成物。
【請求項２１】  前記ＩＳＳが、配列５’-Ｔ，Ｃ，Ｇ-３’を含む、請求項２０に記載の組成物。
【請求項２２】  前記ＩＳＳが、配列５’-プリン，プリン，Ｃ，Ｇ，ピリミジン，ピリミジン，Ｃ，Ｇ-３’、又は５’-プリン，プリン，Ｃ，Ｇ，ピリミジン，ピリミジン，Ｃ，Ｃ-３’を含む、請求項２０に記載の組成物。
【請求項２３】  前記ＩＳＳが、５’-ＡＡＣＧＴＴＣＣ-３’、５’-ＡＡＣＧＴＴＣＧ-３’、５’-ＧＡＣＧＴＴＣＣ-３’、及び５’-ＧＡＣＧＴＴＣＧ-３’からなる群から選ばれる配列を含む、請求項２２に記載の組成物。
【請求項２４】  前記ＩＳＳが、配列５’-ＴＧＡＣＴＧＴＧＡＡＣＧＴＴＣＧＡＧＡＴＧＡ-３’を含む、請求項２０に記載の組成物。
【請求項２５】  前記ＩＳＳが、配列５’-ＴＣＧＴＣＧＡＡＣＧＴＴＣＧＴＴＡＡＣＧＴＴＣＧ-３’（配列番号：９）を含む、請求項２０に記載の組成物。
【請求項２６】  前記個体が哺乳動物である、請求項２０に記載の組成物。
【請求項２７】  投与が感染の部位においてである、請求項２０に記載の組成物。
【請求項２８】  前記単純ヘルペスウイルスが、単純ヘルペスウイルス２（ＨＳＶ−２）ウイルスである、請求項２０に記載の組成物。
【請求項２９】  単純ヘルペスウイルスに感染されたか、被爆されたか、又は被爆される危険にある個体において、単純ヘルペスウイルス感染の症状を寛解し又は予防することにおける使用のためのキットであって、以下の：
免疫賦活性配列（ＩＳＳ）を含むポリヌクレオチドを含有する組成物であって、ここで前記ＩＳＳが配列５’-Ｃ，Ｇ-３’を含み、かつ、ここで前記キットが単純ヘルペスウイルス抗原を含まず；及び
単純ヘルペスウイルスに感染されたか、被爆されたか、又は被爆される危険にある個体に対する前記組成物の投与のための説明書、
を含むキット。
【請求項３０】  前記ＩＳＳが、配列５’-Ｔ，Ｃ，Ｇ-３’を含む、請求項２９に記載のキット。
【請求項３１】  前記ＩＳＳが、配列５’-プリン，プリン，Ｃ，Ｇ，ピリミジン，ピリミジン，Ｃ，Ｇ-３’、又は５’-プリン，プリン，Ｃ，Ｇ，ピリミジン，ピリミジン，Ｃ，Ｃ-３’を含む、請求項２９に記載のキット。
【請求項３２】  前記ＩＳＳが、５’-ＡＡＣＧＴＴＣＣ-３’、５’-ＡＡＣＧＴＴＣＧ-３’、５’-ＧＡＣＧＴＴＣＣ-３’、及び５’-ＧＡＣＧＴＴＣＧ-３’からなる群から選ばれる配列を含む、請求項３１に記載のキット。
【請求項３３】  前記ＩＳＳが、配列５’-ＴＧＡＣＴＧＴＧＡＡＣＧＴＴＣＧＡＧＡＴＧＡ-３’（配列番号：１）を含む、請求項２９に記載のキット。
【請求項３４】  前記ＩＳＳが、配列５’-ＴＣＧＴＣＧＡＡＣＧＴＴＣＧＴＴＡＡＣＧＴＴＣＧ-３’（配列番号：９）を含む、請求項２９に記載のキット。
【請求項３５】  前記単純ヘルペスウイルスが、単純ヘルペスウイルス２（ＨＳＶ−２）ウイルスである、請求項２９に記載のキット。
【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  腫瘍の増殖を減少または抑制するのに使用するための医薬の製造における、セファロタキシンおよび抗増殖性剤の使用。
【請求項２】  セファロタキシンはホモハリングトニンを含む、請求項１記載の使用。
【請求項３】  セファロタキシンはホモハリングトニンアナログを含む、請求項１記載の使用。
【請求項４】  抗増殖性剤は核酸と相互作用する剤を含む、請求項１記載の使用。
【請求項５】  抗増殖性剤は、アルキル化剤、インターカレート剤、金属配位錯体、ピリミジンヌクレオシド、プリンヌクレオシド、核酸関連酵素のインヒビター、または核酸関連タンパク質のインヒビターを含む、請求項１記載の使用。
【請求項６】  抗増殖性剤は、シスプラチン、シタラビン、カンプトテシン、ビンブラスチン、エトポシド、５−フルオロウラシル、アモナフィド、コルチシン、またはゲニステインを含む、請求項１記載の使用。
【請求項７】  医薬はセファロタキシン薬物および抗増殖性薬物を含み、該セファロタキシン薬物は抗増殖性薬物の投与前に投与する、請求項１記載の使用。
【請求項８】  医薬はセファロタキシン薬物および抗増殖性薬物を含み、該セファロタキシン薬物は抗増殖性薬物の投与の間に投与する、請求項１記載の使用。
【請求項９】  医薬はセファロタキシン薬物および抗増殖性薬物を含み、該セファロタキシン薬物は抗増殖性薬物の投与後に投与する、請求項１記載の使用。
【請求項１０】  該医薬を用いた該固形腫瘍についてのモジュレートは、該抗増殖性剤を単独で用いた場合よりも大きい、請求項１記載の使用。
【請求項１１】  セファロタキシンおよび抗増殖性剤を含有する医薬組成物。
【請求項１２】  該セファロタキシンはホモハリングトニンまたはホモハリングトニンアナログを含む、請求項１１記載の医薬組成物。
【請求項１３】  抗増殖性剤は、シスプラチン、シタラビン、カンプトテシン、ビンブラスチン、エトポシド、５−フルオロウラシル、アモナフィド、コルチシン、またはゲニステインを含む、請求項１１または１２記載の医薬組成物。
【請求項１４】  セファロタキシン薬物および別々の抗増殖性薬物を含有する、医薬。
【請求項１５】  該セファロタキシンはホモハリングトニンまたはホモハリングトニンアナログを含む、請求項１４記載の医薬。
【請求項１６】  該固形腫瘍の増殖の減少または抑制は腫瘍の大きさが４倍になる時間の増加を含む、請求項１記載の使用。
【請求項１７】  増殖の減少または抑制は化学増強効果を含む、請求項１記載の使用。
【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】  フェンタニルまたはフェンタニルコンジナーおよび非水性担体を含む薬学的製剤であって、ここでフェンタニルまたはフェンタニルコンジナーが溶液中にあり、かつ該製剤中に少なくとも約1 mg/mLの濃度で存在する、薬学的製剤。
【請求項２】  非水性担体が芳香族部分を含む低分子量アルコールである、請求項1記載の薬学的製剤。
【請求項３】  アルコールがベンジルアルコールである、請求項2記載の薬学的製剤。
【請求項４】  非水性担体が非イオン性界面活性剤およびアルコールを含む、請求項1記載の薬学的製剤。
【請求項５】  非イオン性界面活性剤が、ポリソルベート20、ポリソルベート40、ポリソルベート80、およびトリオレイン酸ソルビタンからなる群より選択される、請求項4記載の薬学的製剤。
【請求項６】  アルコールがベンジルアルコールである、請求項4記載の薬学的製剤。
【請求項７】  フェンタニルまたはフェンタニルコンジナーを、芳香族部分を含む低分子量アルコール担体中に、約1 mg/mLから約500 mg/mLの濃度で含む、薬学的製剤。
【請求項８】  フェンタニルまたはフェンタニルコンジナーを、約50 mg/mLから約400 mg/mLの濃度で含む、請求項7記載の薬学的製剤。
【請求項９】  フェンタニルコンジナーがスフェンタニルである、請求項7記載の薬学的製剤。
【請求項１０】  低分子量アルコールがベンジルアルコールである、請求項7記載の薬学的製剤。
【請求項１１】  フェンタニルまたはフェンタニルコンジナーが、フェンタニル塩基またはフェンタニルコンジナー塩基として製剤中に存在する、請求項7記載の薬学的製剤。
【請求項１２】  フェンタニルまたはフェンタニルコンジナーを約0.5 mg/mLから約500 mg/mLの濃度で含み、かつ非イオン性界面活性剤を約50 mg/mLから約200 mg/mLの濃度で含む薬学的製剤であって、フェンタニルまたはフェンタニルコンジナーが、芳香族部分を含むアルコールエステル担体中にある、薬学的製剤。
【請求項１３】  フェンタニルまたはフェンタニルコンジナーを約50 mg/mLから約250 mg/mLの濃度で含む、請求項12記載の薬学的製剤。
【請求項１４】  フェンタニルコンジナーがスフェンタニルである、請求項12記載の薬学的製剤。
【請求項１５】  非イオン性界面活性剤が、ポリソルベート20、ポリソルベート40、ポリソルベート80、およびトリオレイン酸ソルビタンからなる群より選択される、請求項12記載の薬学的製剤。
【請求項１６】  アルコールエステルが安息香酸ベンジルである、請求項12記載の薬学的製剤。
【請求項１７】  フェンタニルまたはフェンタニルコンジナーが、フェンタニル塩基またはフェンタニルコンジナー塩基として製剤中に存在する、請求項12記載の薬学的製剤。
【請求項１８】  請求項1、7または12記載の製剤を含む剤形。
【請求項１９】  非水性希釈剤に溶解したスフェンタニルを含む薬学的製剤であって、ここでスフェンタニルが該製剤中に約1 mg/mLよりも高い濃度で存在する、薬学的製剤。
【請求項２０】  製剤が芳香族部分を含む低分子量アルコールを含む、請求項19記載の薬学的製剤。
【請求項２１】  低分子量アルコールがベンジルアルコールである、請求項20記載の薬学的製剤。
【請求項２２】  製剤が非イオン性界面活性剤を約50 mg/mLから約200 mg/mLの濃度で含み、かつ芳香族部分を含むアルコールエステルを含む、請求項19記載の薬学的製剤。
【請求項２３】  アルコールエステルが安息香酸ベンジルであり、かつ非イオン性界面活性剤が、ポリソルベート20、ポリソルベート40、ポリソルベート80、およびトリオレイン酸ソルビタンからなる群より選択される、請求項22記載の薬学的製剤。
【請求項２４】  請求項19記載の製剤を含む、薬物剤形。
【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  免疫刺激化配列（ＩＳＳ）を含むポリヌクレオチドを含む、呼吸器系の合胞体ウィルス（ＲＳＶ）に曝露した個体においてＲＳＶ感染症を抑制するための医薬組成物であって、ここで当該ＩＳＳは配列５′−Ｃ，Ｇ−３′を含み、ここでＲＳＶ抗原は当該組成物の投与と共に投与されず、当該組成物はＲＳＶ感染症を抑制するために十分な量で当該個体に投与される、前記組成物。
【請求項２】  前記ＩＳＳが、配列５′−Ｔ，Ｃ，Ｇ−３′を含む、請求項１記載の医薬組成物。
【請求項３】  前記ＩＳＳが、配列５′−プリン，プリン，Ｃ，Ｇ，ピリミジン，ピリミジン，Ｃ，Ｇ−３′又は５′−プリン，プリン，Ｃ，Ｇ，ピリミジン，ピリミジン，Ｃ，Ｃ−３′を含む、請求項１記載の医薬組成物。
【請求項４】  前記ＩＳＳが、５′−AACGTTCC−３′、５′−AACGTTCG−３′、５′−GACGTTCC−３′、及び５′−GACGTTCG−３′からなる群から選択される配列を含む、請求項３記載の医薬組成物。
【請求項５】  前記ＩＳＳが、配列
【化１】
2003526672.tif 000001
を含む、請求項１記載の医薬組成物。
【請求項６】  前記個体が、哺乳動物である、請求項１記載の医薬組成物。
【請求項７】  投与が、曝露部位でなされる、請求項１記載の医薬組成物。
【請求項８】  前記曝露部位が、呼吸粘膜で、請求項７記載の医薬組成物。
【請求項９】  前記曝露部位が、鼻の通路である、請求項７記載の医薬組成物。
【請求項１０】  抑制が前記個体由来の生物学的な試料中でＲＳＶ力価の減少を含む、請求項１記載の医薬組成物。
【請求項１１】  呼吸器系の合胞体ウィルス（ＲＳＶ）に感染した又は曝露した個体におけるＲＳＶ感染症を抑制するために用いるキットであって、以下：
免疫刺激化配列（ＩＳＳ）を含むポリヌクレオチドを含む組成物、ここで当該ＩＳＳは配列５′−Ｃ，Ｇ−３′を含み、当該キットはＲＳＶ抗原を含まない；及び
ＲＳＶに感染した又は曝露した個体に当該組成物を投与してＲＳＶ感染症を抑制するための説明書、
を含む、前記キット。
【請求項１２】  前記ＩＳＳが、配列５′−Ｔ，Ｃ，Ｇ−３′を含む、請求項１１記載のキット。
【請求項１３】  前記ＩＳＳが、配列５′−プリン，プリン，Ｃ，Ｇ，ピリミジン，ピリミジン，Ｃ，Ｇ−３′又は５′−プリン，プリン，Ｃ，Ｇ，ピリミジン，ピリミジン，Ｃ，Ｇ−３′を含む、請求項１１記載のキット。
【請求項１４】  前記ＩＳＳが、５′−AACGTTCC−３′、５′−AACGTTCG−３′、５′−GACGTTCC−３′及び５′−GACGTTCG−３′からなる群から選択される配列を含む、請求項１３記載のキット。
【請求項１５】  前記ＩＳＳが、配列
【化２】
2003526672.tif 000002
を含む、請求項１１記載のキット。
【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】  免疫刺激性配列（ＩＳＳ）を含むポリヌクレオチドを含む、乳頭腫ウイルスに暴露された個体における乳頭腫ウイルス感染の症状の予防のための医薬組成物であって、上記ＩＳＳが配列５’−Ｃ，Ｇ，ピリミジン，ピリミジン，Ｃ，Ｇ−３’を含み、乳頭腫ウイルス抗原が前記組成物の投与と共に投与されず、そして前記組成物が乳頭腫ウイルス感染の症状を予防するのに十分な量で投与される前記組成物。
【請求項２】  前記ＩＳＳが配列５’−プリン，プリン，Ｃ，Ｇ，ピリミジン，ピリミジン，Ｃ，Ｇ−３’を含む、請求項１に記載の組成物。
【請求項３】  前記ＩＳＳが５’−ＡＡＣＧＴＴＣＧ−３’、及び５’−ＧＡＣＧＴＴＣＧ−３’から成る群から選ばれる配列を含む、請求項２に記載の組成物。
【請求項４】  前記ＩＳＳが配列５’−ＴＧＡＣＴＧＴＧＡＡＣＧＴＴＣＧＡＧＡＴＧＡ−３’（配列番号：１）を含む、請求項１に記載の組成物。
【請求項５】  前記個体が哺乳類である、請求項１に記載の組成物。
【請求項６】  投与が露出の部位である、請求項１に記載の組成物。
【請求項７】  前記乳頭腫ウイルスがヒト乳頭腫ウイルス（ＨＰＶ）である、請求項１に記載の組成物。
【請求項８】  前記乳頭腫ウイルスが動物乳頭腫ウイルスである、請求項１に記載の組成物。
【請求項９】  免疫刺激性配列（ＩＳＳ）を含むポリヌクレオチドを含む、乳頭腫ウイルスに感染した個体における乳頭腫ウイルス感染の症状の重篤さの軽減のための医薬組成物であって、上記ＩＳＳが配列５’−Ｃ，Ｇ，ピリミジン，ピリミジン，Ｃ，Ｇ−３’を含み、乳頭腫ウイルス抗原が前記組成物の投与と共に投与されず、そして前記組成物が乳頭腫ウイルス感染の症状の重篤さを軽減させるのに十分な量で投与される前記組成物。
【請求項１０】  上記ＩＳＳが配列５’−プリン，プリン，Ｃ，Ｇ，ピリミジン，ピリミジン，Ｃ，Ｇ−３’を含む、請求項９に記載の組成物。
【請求項１１】  上記ＩＳＳが５’−ＡＡＣＧＴＴＣＧ−３’及び５’−ＧＡＣＧＴＴＣＧ−３’から成る群から選ばれる配列を含む、請求項１０に記載の組成物。
【請求項１２】  上記ＩＳＳが配列５’−ＴＧＡＣＴＧＴＧＡＡＣＧＴＴＣＧＡＧＡＴＧＡ−３’（配列ＩＤ番号：１）を含む、請求項９に記載の組成物。
【請求項１３】  上記個体が哺乳類である、請求項９に記載の組成物。
【請求項１４】  投与が感染部位である、請求項９に記載の組成物。
【請求項１５】  上記乳頭腫ウイルスがヒト乳頭腫ウイルス（ＨＰＶ）である、請求項９に記載の組成物。
【請求項１６】  上記乳頭腫ウイルスが動物乳頭腫ウイルスである、請求項９に記載の方法。
【請求項１７】  免疫刺激性配列（ＩＳＳ）を含むポリヌクレオチドを含む組成物を含む、乳頭腫ウイルスに感染した、暴露された又は暴露されるおそれのある個体における乳頭腫ウイルス感染の症状の治療における使用のためのキットであって、上記ＩＳＳが配列５’−Ｃ，Ｇ，ピリミジン，ピリミジン，Ｃ，Ｇ−３’を含み、前記キットが乳頭腫ウイルス抗原を含まず、そして上記キットが乳頭腫ウイルスに感染した、暴露された又は暴露されるおそれのある個体に前記組成物を投与するための教示を含むキット。
【請求項１８】  上記ＩＳＳが配列５’−プリン，プリン，Ｃ，Ｇ，ピリミジン，ピリミジン，Ｃ，Ｇ−３’を含む、請求項１７に記載のキット。
【請求項１９】  上記ＩＳＳが５’−ＡＡＣＧＴＴＣＧ−３’及び５’−ＧＡＣＧＴＴＣＧ−３’から成る群から選ばれる配列を含む、請求項１８に記載のキット。
【請求項２０】  上記ＩＳＳが配列５’−ＴＧＡＣＴＧＴＧＡＡＣＧＴＴＣＧＡＧＡＴＧＡ−３’（配列ＩＤ番号：１）を含む、請求項１７に記載のキット。
【請求項２１】  上記乳頭腫ウイルスがヒト乳頭腫ウイルス（ＨＰＶ）である、請求項１７に記載のキット。
【請求項２２】  上記乳頭腫ウイルスが動物乳頭腫ウイルスである、請求項１７に記載のキット。
【手続補正書】
【提出日】平成20年1月8日(2008.1.8)
【手続補正１】
【補正対象書類名】明細書
【補正対象項目名】００８５
【補正方法】変更
【補正の内容】
【００８５】
本発明の方法において用いられ得る許容反応条件は、無論、所望される特定合成に依存して選ばれる。かかるプロセス条件は、当該技術において周知である。本発明の方法のすべてが、当該技術において知られた慣用手順に従って行われ得る。本発明の方法を行うための例示的反応条件は、たとえば、Kirk−Othmer，Encyclopedia of Chemical Technology，第４版，１９９６に記載されており、しかしてその関連部分は参照することにより本明細書に合体される。特定の方法に依存して、操作温度は約−８０℃またはそれ以下から約５００℃またはそれ以上の範囲にあり得、そして操作圧力は約６８９５Ｐａ（１ｐｓｉｇ）またはそれ以下から約６８．９５ＭＰａ（１０，０００ｐｓｉｇ）またはそれ以上の範囲にあり得る。
【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】
直接的または間接的抗腫瘍作用をもつ物質を送達または発現する幹細胞であって、修飾されたまたは非修飾の多数の当該幹細胞を含む、腫瘍治療を必要とする個人における腫瘍を治療するための全身性送達用の組成物。
【請求項２】
前記幹細胞が神経幹細胞（ＮＳＣｓ）である、請求項１記載の組成物。
【請求項３】
前記腫瘍が、神経系腫瘍であるか、頭蓋外腫瘍からの脳または脊髄転移であるか、または非神経構造体への転移をもつ頭蓋外腫瘍である、請求項１記載の組成物。
【請求項４】
前記全身性送達が、血管内、ＣＳＦ内、または骨内注射を用いて実施される、請求項１記載の組成物。
【請求項５】
前記物質が、治療的利益を付与する遺伝子である、請求項１記載の組成物。
【請求項６】
前記遺伝子が、シトシンデアミナーゼをコードする、請求項５記載の組成物。
【請求項７】
シトシンデアミナーゼを発現する神経幹細胞を含む調製物を含む、腫瘍治療を必要とする個人における腫瘍を治療するための全身性送達用の組成物であって、
該シトシンデアミナーゼ産生細胞が、該個人に投与された無毒の５−フルオロシトシンを有毒の５−フルオロウラシルへ変換する、組成物。
【請求項８】
前記腫瘍が、神経系腫瘍、頭蓋外腫瘍からの脳または脊髄転移、または非神経構造体への転移をもつ他の頭蓋外腫瘍である、請求項７記載の組成物。
【請求項９】
前記全身性送達が、血管内および静脈内送達である、請求項７記載の組成物。
【請求項１０】
医薬的に許容可能な希釈剤中に、液体窒素凍結された、または活発に増殖している幹細胞を含む、医薬調製物。
【請求項１１】
腫瘍の全身的治療用のキットであって、前記腫瘍に治療効果を発揮するように操作されておりそして前記腫瘍の方へ移動できる凍結幹細胞または活発に増殖している幹細胞のバイアル、前記幹細胞を懸濁させるための医薬品級溶液の容器、ならびに注射器および／またはカテーテルを含む上記キット。
【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】  電気加熱可能な太陽光制御被覆層及び前記被覆層に電力を中継で送るように適応された間隔のあいた第１及び第２母線を有する自動車窓ガラスパネルにおいて、窓ガラスパネルが電気加熱可能な太陽光制御被覆層と少なくとも部分的に接触して位置された少なくとも二つの間隔のあいたデータ透過窓を与えられ、それらのデータ透過窓が電気加熱可能な太陽光制御被覆層と電気接触している窓ガラスパネルの部分によって分離されていることを特徴とする自動車窓ガラスパネル。
【請求項２】  少なくとも二つの間隔のあいたデータ透過窓を分離しかつ電気加熱可能な太陽光制御被覆層と電気接触している窓ガラスパネルの部分が電気加熱可能な太陽光制御被覆層の一部を形成する請求項１に記載の自動車窓ガラスパネル。
【請求項３】  少なくとも二つのデータ透過窓が少なくとも８０ｍｍの距離、好ましくは少なくとも１００ｍｍの距離によって分離されている請求項１又は２に記載の自動車窓ガラスパネル。
【請求項４】  少なくとも二つのデータ透過窓が電気加熱可能な太陽光制御被覆層によって実質的に又は完全に包囲されている請求項１〜３のいずれかに記載の自動車窓ガラスパネル。
【請求項５】  データ透過窓が母線の一つに隣接して位置されている請求項１〜４のいずれかに記載の自動車窓ガラスパネル。
【請求項６】  窓ガラスパネルの上縁から下縁までの中央軸に関して実質的に対称的に位置されかつはめられた窓ガラスの上縁に向かって配置された二つの間隔のあいたデータ透過窓がある請求項１〜５のいずれかに記載の自動車窓ガラスパネル。
【請求項７】  データ透過窓の各々が少なくとも４０ｍｍの幅及び少なくとも２０ｍｍの高さを有する請求項１〜６のいずれかに記載の自動車窓ガラスパネル。
【請求項８】  少なくとも一つの母線が窓ガラスパネルの上縁に隣接して窓ガラスパネルの上部に沿って延びている請求項１〜７のいずれかに記載の自動車窓ガラスパネル。
【請求項９】  窓ガラスパネルが自動車フロントガラスである請求項１〜８のいずれかに記載の自動車窓ガラスパネル。
【請求項１０】  車両の内部が少なくとも一つのデータ透過窓を通って非可視電磁データ信号を発信及び／又は受信するように配置された少なくとも一つの発信器又は受信器を与えられている請求項１〜９のいずれかに記載の窓ガラスパネルを有する自動車車両。
【請求項１１】  電気加熱可能な太陽光制御被覆層及びデータ透過窓を与えられた窓ガラスパネルにおいて不均一な加熱を減らす方法であって、電気加熱可能な太陽光制御被覆層と電気接触している窓ガラスパネルの部分によって分離される加熱可能な太陽光制御被覆層と少なくとも部分的に接触して位置される少なくとも二つの間隔のあいたデータ透過窓を配置することを含む方法。
【手続補正書】
【提出日】平成19年12月26日(2007.12.26)
【手続補正１】
【補正対象書類名】明細書
【補正対象項目名】特許請求の範囲
【補正方法】変更
【補正の内容】
【特許請求の範囲】
【請求項１】
ゴム製のタイヤ要素（２）を有する加硫されていないタイヤ、若しくは、補強コードといずれかにビード充填細長状片が設けられうる或いは設けられえない二つのビード芯（３）とが設けられた加硫されていないタイヤ、を成形する際に用いる上昇機構を具備するタイヤドラムであって、
中央軸と、
その軸の周囲においてビード芯を支持するために相互に離間して設けられた二つの環状区画部（６）と、
環状区画部の間に配置されているタイヤ要素の部分を半径方向に拡げるための手段であって、タイヤドラムの環状区画部の外側のいずれかのサイドには軸方向に延びる一組の揺動アーム（１１；１１１）が設けられ、各アームは環状区画部に向かって方向付けられた端部を有し、当該端部は好ましくは第１ローラ（１２；１１２）からなる第１上昇手段を有しているような手段と、
一組のアームの第１上昇手段が実質的に閉じられた環を形成するような第１位置から、環状区画部の外側に配置されたタイヤ要素の一部分を環状区画部の間に配置されたタイヤ要素の拡大された部分に対して押圧するための拡大された第２位置まで、各一組のアームを軸方向及び半径方向へ移動させる手段と、を備え、
第１上昇手段近傍の端部におけるアームは、第１位置においてタイヤ要素を支持するための実質的に閉じられた円筒状面を形成するとともに、前記アーム（１１；１１１）に対して移動することができる可動な支持面（１５；１２４）を有することを特徴とするタイヤドラム。
【請求項２】
各支持面は、第１上昇手段（１２；１１２）を有する該当アームの一端部に至るまで延びていることを特徴とする請求項１に記載のタイヤドラム。
【請求項３】
支持面（１５；１２４）は、アーム方向へ動かされうることを特徴とする請求項１に記載のタイヤドラム。
【請求項４】
各支持面（１５）は、第１上昇手段（１２）が外側に対して半径方向へ覆われるような第１位置と、第１上昇手段（１２）が半径外側方向へ覆われていない引っ込められた位置である第２位置と、の間において、該当アーム（１１）上でアーム方向へ動かされうることを特徴とする請求項３に記載のタイヤドラム。
【請求項５】
各支持面（１５）は、半径方向に拡げられた位置である第３位置と、ローラ（１２）に関して半径方向に引っ込められた位置である第４の位置と、の間において、該当アーム（１１）上で半径方向へ可動に配置されることを特徴とする請求項１乃至４のいずれかに記載のタイヤドラム。
【請求項６】
各支持面（１５）は、半径方向に拡げられた位置である第３位置と、ローラ（１２）に関して半径方向に引っ込められた位置である第４の位置と、の間において、該当アーム（１１）上で半径方向へ可動に配置され、
支持面（１５）の第１位置と第３位置とは一致することを特徴とする請求項４に記載のタイヤドラム。
【請求項７】
各支持面（１５）は、半径方向に拡げられた位置である第３位置と、ローラ（１２）に関して半径方向に引っ込められた位置である第４の位置と、の間において、該当アーム（１１）上で半径方向へ可動に配置され、
支持面（１５）の第２位置と第４位置とは一致することを特徴とする請求項４に記載のタイヤドラム。
【請求項８】
支持面（１５）は、アーム（１１）上で動かされうるカバープレートによって形成されることを特徴とする請求項１乃至４のいずれかに記載のタイヤドラム。
【請求項９】
カバープレート（１５）は、カバープレートの統一部を形成する駆動部（２１）に設けられ、
駆動部は、カバープレートを動かすための軸方向滑動可能駆動部（２０）に係合し、
駆動部（２１）は、好ましくは、アームの第１位置におけるアーム沿った動作のための滑動を駆動した状態で半径方向へ自由に延びることを特徴とする請求項８に記載のタイヤドラム。
【請求項１０】
カバープレート（１５）及び該当アーム（１１）には、カバープレートと該当アームとの間で相対動作を制限するための止め部（２５，２６；３２，３３）が設けられていることを特徴とする請求項９に記載のタイヤドラム。
【請求項１１】
アーム（１１）は、外周へのテンションリング（４１）によって第１位置に向かってバイアスがかけられ、
テンションリングは、カバープレート（１２）に接続され、特にカバープレートを介して拡がることを特徴とする請求項１乃至４のいずれかに記載のタイヤドラム。
【請求項１２】
テンションリング（４１）は、カバープレート（１５）に直接係合するとともに、当該カバープレートを介してアーム（１１）に係合することを特徴とする請求項１１に記載のタイヤドラム。
【請求項１３】
各アーム（１１）には、前記第１ローラ（１１２）から離間して設置された第２ローラ（１２３）が設けられ、
支持面は、第１ローラ及び第２ローラの周囲に配置されたエンドレス・ベルト（１２４）によって形成され、
エンドレス・ベルトは、アームの第１位置において隣接して配置されることを特徴とする請求項１，２，３のいずれかに記載のタイヤドラム。
【請求項１４】
第２ローラ（１２３）は、バネ（１２５）によって第１ローラから離れるようにバイアスがかけられ、
バネは、好ましくは、該当するアーム（１１１）に取り付けられていることを特徴とする請求項１３に記載のタイヤドラム。
【請求項１５】
環状区画部の外側のいずれかのサイドにおけるヒンジで動く一組の揺動アーム（１１；１１１）は、機械的な連結によって、第１位置から第２位置へ同調して動かされうることを特徴とする請求項１乃至４のいずれかに記載のタイヤドラム。
【請求項１６】
タイヤ成形ドラムとして設けられたことを特徴とする請求項１乃至４のいずれかに記載のタイヤドラム（１）。
【請求項１７】
タイヤ成形ドラムとして設けられたことを特徴とする請求項１乃至４のいずれかに記載のタイヤドラム（１）。
【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  レンズ素材の上に外側コートを有する眼鏡レンズの表面にマークを形成する方法において、
表面活性化源を設ける段階と、
マークを付すべき眼鏡レンズの表面上に、所望のマークの反転画像を形成するマスクを付着する段階と、
眼鏡レンズが表面活性化源に対面し、眼鏡レンズと表面活性化源との間にマスクが介在されるように位置決めする段階と、
表面活性化源を放電させる段階とを有し、
前記外側コートが低い表面エネルギーを持ち、下側のレンズ素材又は中間コートが高い表面エネルギーを有し、かつ
下側のレンズ素材又は中間コートを露出させるために、前記外側コートを選択的に除去して、前記放電が表面エネルギーを増大させ、形成されたマークがレンズの霧化によって可視となることを特徴とする方法。
【請求項２】  前記マスクは、所望のマークの反転画像を形成する切抜きを備えた可撓性フィルムスクリーンの一部により形成されることを特徴とする請求項１記載の方法。
【請求項３】  前記マークを付すべき眼鏡レンズを、スクリーンから離れたピックアップステーションでピックアップする段階と、該眼鏡レンズをスクリーンに搬送する段階と、マーキングの後にスクリーンから眼鏡レンズを取り出す段階と、該眼鏡レンズを、スクリーンから離れた降荷領域に搬送する段階とを更に含むことを特徴とする請求項２記載の方法。
【請求項４】  前記表面活性化源がコロナ放電源であり、コロナ放電の持続時間は５〜１０秒間であることを特徴とする請求項１〜３のいずれか１項記載の方法。
【請求項５】  前記表面活性化源が、オゾン発生源であることを特徴とする請求項１〜４のいずれか１項記載の方法。
【請求項６】  前記表面活性化源が、コロナ放電源であることを特徴とする請求項１〜５のいずれか１項記載の方法。
【請求項７】  前記表面活性化源が、コロナ放電源、紫外線源、グロー放電源及び低温プラズマ源を含むことを特徴とする請求項１〜４のいずれか１項記載の方法。
【請求項８】  前記薄いコートは、１ｎｍ〜１０ｎｍの厚さを持つトップコートであることを特徴とする請求項１〜７のいずれか１項記載の方法。
【請求項９】  前記マスクは、マークを付する眼鏡レンズの表面に押されたインキマスクであり、表面活性化処理後にレンズから除去されることを特徴とする請求項３〜８のいずれか１項記載の方法。
【請求項１０】  レンズ素材の上に外側コートを有する眼鏡レンズの表面にマークを形成する装置において、
活性化源２９と、
マークを付すべき眼鏡レンズ１０の表面上に、所望のマークの反転画像を形成するマスク２８，８０を付着し、眼鏡レンズを表面活性化源に対面させ、眼鏡レンズと表面活性化源との間にマスクが介在されるように位置決めする手段２５，７０とを有し、
前記表面活性化源２９が、下側のレンズ素材又は中間コートを露出させるために、前記外側コートの選択的な除去によって、前記放電が表面エネルギーを増大させ、形成されたマークが、レンズの霧化によって可視となるようにする手段を有することを特徴とする装置。
【請求項１１】  前記表面活性化源が、オゾン発生装置であることを特徴とする請求項１０記載の装置。
【請求項１２】  前記オゾン発生源が、コロナ放電源２９、低温プラズマ源または紫外線源であることを特徴とする請求項１０記載の装置。
【請求項１３】  前記表面活性化源が、コロナ放電源２９であることを特徴とする請求項１０又は１１に記載の装置。
【請求項１４】  前記マスクが、表面活性化源に対する不透過性を有しかつ所望のマークの反転画像に一致する切抜きを備えた可撓性スクリーン２７の一部であり、前記可撓性スクリーンの前記マスク部分２８はマークを付すべきレンズ表面に接触可能であることを特徴とする請求項１０〜１３のいずれか１項記載の装置。
【請求項１５】  前記眼鏡レンズが、眼鏡レンズを選択的にピックアップしかつ解放するレンズ保持手段３０を有することを特徴とする請求項１０〜１４のいずれか１項記載の装置。
【請求項１６】  前記スクリーン２７から離れた位置に眼鏡レンズピックアップゾーンが配置され、前記レンズ位置決め手段は更に、ピックアップ位置とスクリーン上に位置するマーキング位置との間で移動できるように取り付けられたアーム５０を有し、前記レンズ保持手段３０は、ピックアップ位置とマーキング位置との間でアームと一緒に移動するようにアームに支持されていることを特徴とする請求項１５記載の装置。
【請求項１７】  前記アームがまた、マークが付された眼鏡レンズ１０をスクリーン２７から離れた位置で降荷させるための降荷位置へ移動でき、および、該降荷位置から移動できるように取り付けられていることを特徴とする請求項１６記載の装置。
【請求項１８】  前記スクリーンが、複数のマスク部分からなることを特徴とする請求項１４〜１７のいずれか１項記載の装置。
【請求項１９】  前記外側コートが、１ｎｍ〜１０ｎｍの厚さを持つトップコートであることを特徴とする請求項１０〜１８のいずれか１項記載の装置。
【請求項２０】  前記マスクを付着する手段が、マークを付すべき眼鏡レンズの表面に所望のマークの反転画像をスタンピングするインキが付着された印刷ブロックを有していることを特徴とする請求項１０〜１５および１８，１９のいずれか１項記載の装置。
【請求項２１】  前記表面活性化処理を行った後に、インキが付着されたマスクを除去する手段を更に有することを特徴とする請求項２０記載の装置。
【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  表面及び裏面のある半導体ウェーハを研磨するための研磨ヘッドであって、前記ヘッドが前記ウェーハを前記表面でパッドに押圧する前記研磨ヘッドにおいて、
第１の力をほぼ均等に前記ウェーハの前記裏面に加えるための第１手段と、
前記第１の力とは反対の方向に局所的に第２の力を提供するための第２手段と、を備え、前記第２の力は、前記第１の力を打ち消して、その結果生じた第３の力によって前記ウェーハが前記パッドに押圧されることを特徴とする研磨ヘッド。
【請求項２】  請求項１に記載の研磨ヘッドであって、
前記第１手段は、圧力伝達媒体によって前記第１の力を伝達するために圧力室を有するチャックであることを特徴とする研磨ヘッド。
【請求項３】  請求項１に記載の研磨ヘッドであって、
前記第２手段は、前記ウェーハと同一面に配置される少なくとも１つの電極を有して前記第２の力を静電的に提供する電極配置部であることを特徴とする研磨ヘッド。
【請求項４】  表面及び裏面のある半導体ウェーハを研磨するための方法であって、前記ウェーハが、前記ウェーハの前記表面でパッドに押圧される前記方法において、
第１の力をほぼ均等に前記ウェーハの前記裏面に加える段階と、
前記第１の力を打ち消すように、前記第２の力とは反対の方向に局所的に第２の力を与える段階であって、その結果生じた第３の力によって、前記ウェーハが前記パッドに押圧される前記段階と、
を含むことを特徴とする方法。
【請求項５】  半導体ウェーハを研磨パッドに押付けて保持する化学的機械研磨装置用の研磨ヘッドであって、
ウェーハの裏面にほぼ均等に下向きの力を加えるための圧力室を有するチャックと、
凹凸に対応する分布の局所力を有する補償力が加えられることによって前記凹凸を補償するための電極配置部であって、前記ウェーハとは同一平面に配置された前記圧力室内にある前記電極配置部と、
を備えることを特徴とする研磨ヘッド。
【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】
流体から不純物を除去するための反応性媒体であって、
複数の反応性粒子を含み、
該複数の反応性粒子は、
炭素粒子、又は、炭素層を表面に担持する無機材料粒子と、
該粒子によって担持されている活性金属部位と
を含んでおり、
該活性金属部位が、Ｉ族アルカリ金属、ＩＩ族アルカリ土類金属、遷移金属、及びそれらの混合物を含む群から選択される金属を含んでおり、該金属が前記炭素に化学結合している、前記反応性媒体。
【請求項２】
該無機材料粒子が、セラミック、ゼオライト、モレキュラーシーブ、金属酸化物又はそれらの混合物を含んでいる請求項１記載の反応性媒体。
【請求項３】
該反応性粒子が、約３００ｍ2／ｇから約１５００ｍ2／ｇの表面積、及び約０．１０ｍｍから約４ｍｍのサイズを有する請求項１又は２記載の反応性媒体。
【請求項４】
該金属が、ナトリウムを含む請求項１〜３のいずれか記載の反応性媒体。
【請求項５】
該無機材料粒子が、約９００ｍ2／ｇから約１２００ｍ2／ｇの表面積を有する炭素ビーズを含み、且つ該金属が、約０．２重量％から約１０重量％の量で、該反応性媒体中に存在するナトリウムを含む請求項１〜４のいずれか記載の反応性媒体。
【請求項６】
反応性媒体を作る方法であって、
炭素粒子、又は、炭素層を表面に担持するセラミック、ゼオライト、モレキュラーシーブ、金属酸化物又はそれらの混合物の粒子を、Ｉ族アルカリ金属、ＩＩ族アルカリ土類金属、遷移金属、及びそれらの混合物を含む群から選択される金属種と接触させる工程と、
該粒子上の該金属種を約３００℃より高い温度で熱処理して活性化させ、該炭素粒子又は該炭素層に結合した金属を形成し、それにより該反応性媒体を形成する工程と、
を含む方法。
【請求項７】
該金属種の該熱処理が、約４時間から約２４時間にわたる約４００℃から約６００℃の温度での加熱を含んでいる請求項６記載の方法。
【請求項８】
該金属種が、ナトリウムを含む請求項６又は７記載の方法。
【請求項９】
該粒子が、約９００ｍ2／ｇから約１２００ｍ2／ｇの表面積及び約０．１０ｍｍ〜約４ｍｍの範囲の粒子サイズを有する炭素ビーズを含み、且つ該金属が、約０．２重量％から約１０重量％の量で、該反応性媒体中に存在するナトリウムを含む請求項６〜８のいずれか記載の方法。
【請求項１０】
流体から不純物を除去する方法であって、
該流体に、請求項１〜５のいずれか記載の反応性媒体中を通過させる工程と、
該流体中に存在する任意の不純物の少なくとも一部を、該反応性粒子上に存在する該活性金属部位と相互作用させ、それにより該不純物の該少なくとも一部を該流体から除去する工程と、
を含む方法。
【請求項１１】
酸素を除去する能力が、反応性粒子１リットル当たり約５リットル以上である請求項１０記載の方法。
【請求項１２】
酸素を除去する能力が、反応性粒子１リットル当たり約８リットル以上である請求項１１記載の方法。
【請求項１３】
酸素を除去する能力が、反応性粒子１リットル当たり約１２リットル以上である請求項１２記載の方法。
【請求項１４】
該反応性媒体が、極微量レベルまで不純物を除去する請求項１０記載の方法。
【請求項１５】
流体から不純物を除去するための清浄化アセンブリであって、
流体入口及び流体出口を有するハウジングと、
請求項１〜５のいずれか記載の反応性媒体を含む反応性粒子床と、
を備え、該反応性粒子床は、該ハウジング内に配置され、且つ該流体入口と該流体出口との間に存在する流体流路全体に広がっている、清浄化アセンブリ。
【請求項１６】
該反応性粒子床が、極微量レベルまで不純物を除去する能力を有する請求項１５記載の清浄化アセンブリ。
【請求項１７】
該反応性粒子床が、反応性粒子１リットル当たり酸素を約５リットル以上除去する能力を有する請求項１５記載の清浄化アセンブリ。
【請求項１８】
該反応性粒子床の下流に反応性膜を更に含む請求項１５記載の清浄化アセンブリ。
【請求項１９】
該反応性粒子床及び該反応性膜が、酸素、二酸化炭素、及び一酸化炭素を約２ｐｐｔ以下まで、及び水を約１２ｐｐｔ以下まで除去する能力を有する請求項１８記載の清浄化アセンブリ。
【請求項２０】
該反応性粒子が、該ハウジング中のすべての利用可能な開放空間を実質的に満たす請求項１５記載の清浄化アセンブリ。
【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】  高透明性及び高効率の有機発光装置の製造方法であって、基材上に、陽極、有機ホール輸送層、有機電子輸送層、透明な電子注入層、及び透明な非金属の電子注入陰極層を順に調製すること（ここで前記の透明な電子注入層が、ホールブロック層として作用する材料、エクスィトンブロック層として作用する材料、及びホールとエクスィトンの複合ブロック層として作用する材料からなる群から選択される材料である）を含んでなり、 前記調製が、前記の透明な電子注入層に金属をドープして、金属をドープした透明な電子注入層を形成することを含む、方法。
【請求項２】  前記の透明な電子注入層を蒸着する前に、前記有機電子輸送層上に前記金属の超薄層を蒸着することによって、前記透明な電子注入層が前記金属によりドープされる、請求項１に記載の製造方法。
【請求項３】  前記透明な非金属の電子注入陰極層を蒸着する前に、前記透明な電子注入層上に前記金属の超薄層を蒸着することによって、前記透明な電子注入層が前記金属によりドープされる、請求項１に記載の製造方法。
【請求項４】  前記透明な、非金属の電子注入陰極層がインジウムスズオキシドを含んでなる、請求項１に記載の製造方法。
【請求項５】  前記金属の超薄層の厚みが５〜１０Åである、請求項２に記載の製造方法。
【請求項６】  前記金属がＬｉ、Ｓｒ及びＳｍからなる群から選択される金属を含んでなる、請求項２に記載の製造方法。
【請求項７】  前記金属がＬｉを含んでなる、請求項２に記載の製造方法。
【請求項８】  前記の金属をドープした透明な電子注入層が2,9-ジメチル-4,7-ジフェニル-1,10-フェナントロリンを含んでなる、請求項１に記載の製造方法。
【請求項９】  前記の金属をドープした透明な電子注入層が少なくとも約１０１５／ｃｍ３の電子密度を与えるのに十分な金属原子密度を有する、請求項１に記載の製造方法。
【請求項１０】  前記の金属をドープした透明な電子注入層が少なくとも約１０２１／ｃｍ３の電子密度を与えるのに十分な金属原子密度を有する、請求項１に記載の製造方法。
【請求項１１】  前記の金属をドープした透明な電子注入層が前記有機発光装置について少なくとも１％の総外部量子効率を与えるのに十分な金属原子密度を有する、請求項１に記載の製造方法。
【請求項１２】  前記ホール輸送層が4,4-ビス[N-(l-ナフチル)-N-フェニル-アミノ]ビフェニルを含んでなる、請求項１に記載の製造方法。
【請求項１３】  前記電子輸送層がトリス-(8-ヒドロキシキノリン)アルミニウムを含んでなる、請求項１に記載の製造方法。
【手続補正書】
【提出日】平成19年12月27日(2007.12.27)
【手続補正１】
【補正対象書類名】明細書
【補正対象項目名】特許請求の範囲
【補正方法】変更
【補正の内容】
【特許請求の範囲】
【請求項１】
中を通って光を伝播するための光学的に滑らかな面を有する光導波路コアと、前記コアの一部に沿って延在する発光領域と、を有する光導波路を具備する照明装置であって、前記発光領域は、
前記光導波路コアの前記光学的に滑らかな面に沿って位置する少なくとも１つの光抽出構造物であって、前記光導波路コア内に延在する光学的反射面を含み、前記光導波路コアを通って伝播するために光に必要な臨界角より小さい角度で光を反射するように指向する光抽出構造物と、
前記光導波路の少なくとも一部の周囲に配置され、光が前記光学的に滑らかな面の前記発光領域を通って放射されるように、前記光抽出構造物によって前記光導波路コアを通って戻るように反射される光の少なくとも一部を指向するための拡散反射材料と、を含むことを特徴とする照明装置。
【請求項２】
前記光導波路の断面形状は、円形であることを特徴とする、請求項１に記載の照明装置。
【請求項３】
前記光導波路は、プレーナ型光導波路であることを特徴とする、請求項１に記載の照明装置。
【請求項４】
前記光導波路コアの前記光学的に滑らかな面に沿って分散される複数の光抽出構造物をさらに含むことを特徴とする、請求項１に記載の照明装置。
【請求項５】
前記複数の光抽出構造物は、前記光学的に滑らかな面に沿って互いに等しくない間隔で離隔されることを特徴とする、請求項４に記載の照明装置。
【請求項６】
前記光導波路コアを包囲するクラッディング材料をさらに含むことを特徴とする、請求項１に記載の照明装置。
【請求項７】
前記拡散反射シート材料は、前記クラッディング材料の一部の周囲に配置されることを特徴とする、請求項６に記載の照明装置。
【請求項８】
前記光導波路は、文字数字または記号に少なくとも部分的に似せるために、所定の形状の形に構成されることを特徴とする、請求項１に記載の照明装置。